(57)【要約】【課題】防火試験や火災の際に障子の下部が熱で反っても障子の開き作動を抑制できる。【解決手段】縦辷り出し窓は枠体内に障子３を開閉可能に設けた。障子３は下框１９と縦框にサブロック３７を設け、操作部４２を室内側に露出して配置した。操作部４２を操作することでケース３８内のスチール製のスライドバー４０が進退可能で、先端が縦框の開口部から突出する。枠体の縦枠には進出位置のスライドバー４０を係止可能な係止部を設けた。金属縦框の下端部側面または金属下框２８の先端部にスライドバー４０が突出する開口部を有する補強金具を固定した。下框の金属下框２８にスライドバー４０の回転を規制する規制ねじ４９ａを取り付けた。【選択図】図３
2014163077.tif 000002
【特許請求の範囲】
【請求項１】
上下枠及び左右の縦枠によって組まれた枠体内に、障子を開閉可能に組み込んだ開口部装置において、
前記障子は上框、下框、左右の縦框を組み込み、その内部にパネルを保持してなり、
前記障子の下框または縦框、或いは両者にサブロックを設け、
該サブロックは、前記下框及び縦框の少なくとも一方に進退可能に配設されていて先端が前記障子の外側に突出可能な金属製のスライドバーと、室内側に露出していて前記スライドバーを進退させる操作部とを備えており、
前記枠体には進出位置にある前記スライドバーを係止する係止部が設けられ、
前記下框または縦框には前記スライドバーの回転を規制する回転防止部材が設置されていることを特徴とする開口部装置。
【請求項２】
前記回転防止部材は、固定具、或いは下框または縦框内に設けたストッパーである請求項１に記載された開口部装置。
【請求項３】
前記障子の下框の端部または縦框の側端部には、開口部が形成された規制金具が固定され、該開口部には前記スライドバーが進退可能に嵌挿されている請求項１または２に記載された開口部装置。
【請求項４】
前記規制金具は前記下框または縦框に固定され、前記スライドバーの基端側に前記回転防止部材が設けられている請求項３に記載された開口部装置。
【請求項５】
前記規制金具は、前記縦框を構成する一部品である請求項３に記載された開口部装置。
【発明の詳細な説明】
【技術分野】
【０００１】
本発明は、辷り出し窓、開き窓または中軸回転式窓等として構成される各種の窓に関するものであり、特に障子の框に設けたメインロックのほかにサブロックを設けた２重ロック式の開口部装置に関する。
【背景技術】
【０００２】
従来、縦辷り出し窓や横辷り出し窓等のロック構造として、グレモン仕様で框中央のハンドルによりピンを連動させて固定するタイプのものがあった。また、他の例として、障子を組み込む上下框と左右の縦框内にスチール製の芯材を挿入して剛性を向上させることで、熱による障子の反りを防止しようとしたタイプのものが知られている。
しかし、前者のタイプでは、連動機構を窓サイズごとに設ける必要があり、コスト高になっていた。後者のタイプでは、芯材のために重量が大きく製造コストが高くなる欠点があった。
【０００３】
これに対し、特許文献１に記載された縦辷り出し窓では、縦框に設けたメインロックと下框に設けたサブロックとを備えた２重ロック式のものが提案されている。この縦辷り出し窓では下框に縦框を縦通しに組み合わせており、サブロックの合成樹脂製のケースを下框内の端部から縦框にまたがって設けている。
また、縦框に形成したホロー部内の孔にサブロックのケースに形成したガイド部を設置し、このガイド部内をサブロックのロック杆が緊密に挿通していて操作部の操作に連動してロック杆を進退させる。しかも、サブロックのロック杆がガイド部から突出したロック位置で枠体に設けた係止部と係止可能とされている。
【先行技術文献】
【特許文献】
【０００４】
【特許文献１】特開平１１−２１０２９７号公報
【発明の概要】
【発明が解決しようとする課題】
【０００５】
しかしながら、特許文献１に記載された縦辷り出し窓は、防火試験や火災等において、障子の下部における縦框と下框のアルミ部材が熱で膨張して反ってしまう欠点があった。その時、サブロックのロック杆を枠体の係止部に係止状態に保持していたとしても、サブロックのケースは合成樹脂製であるため熱で溶解して崩落してしまい、ロック杆を係止状態に保持できない。しかも、火災等によって、障子のアルミ部材からなる下框と縦框とが熱膨張で反って枠体に対して開き作動するため、サブロックで固定されていない金属製のロック杆が枠体の係止部に対して回転してしまい、枠体と障子との間が開口して内外が貫通してしまうという防火上の欠点があった。
【０００６】
本発明は、このような問題点に鑑みてなされたものであって、火災等の際に障子の下部が熱で反って開き作動しようとしても、障子の開き作動を抑制できるようにした開口部装置を提供することを目的とする。
【課題を解決するための手段】
【０００７】
本発明による開口部装置は、上下枠及び左右の縦枠によって組まれた枠体内に、障子を開閉可能に組み込んだ開口部装置において、障子は上框、下框、左右の縦框を組み込み、その内部にパネルを保持してなり、障子の下框または縦框、或いは両者にサブロックを設け、該サブロックは、下框及び縦框の少なくとも一方に進退可能に配設されていて先端が障子の外側に突出可能な金属製のスライドバーと、室内側に露出していてスライドバーを進退させる操作部とを備えており、枠体には進出位置にあるスライドバーを係止する係止部が設けられ、下框または縦框にはスライドバーの回転を規制する回転防止部材が設置されていることを特徴とする。
本発明による開口部装置は、サブロックのスライドバーが枠体の係止部に係止したロック状態において、火災等でサブロックの操作部やスライドバーと操作部の連結部材等が溶融した場合、火災等の熱で障子の下部が熱膨張して反って開き作動すると、スライドバーの一端は枠体の係止部に係止状態にあるため障子の下部の反りによる開き作動に連動してスライドバーが回転するが、下框または縦框には回転防止部材が設置されているためにスライドバーの回転を回転防止部材に当接させて阻止して障子の下部の開き作動を抑制する。これによって、障子と枠体との間で内外貫通が防止できる。
【０００８】
また、回転防止部材は、固定具、或いは下框または縦框内に設けたストッパーであってもよい。
回転防止部材としてパネル保持金具を固定するねじまたはストッパーを用いることで、確実にスライドバーの回転を停止できて障子の開き作動を阻止できる。
【０００９】
また、障子の下框の端部または縦框の側端部には、開口部が形成された規制金具が固定され、該開口部にはスライドバーが進退可能に嵌挿されていることが好ましい。
障子の戸先側下部の下框端部または縦框の側端部に規制金具を固定した状態で、その開口部にスライドバーが嵌挿されているため、火災の熱で障子の下部が熱膨張して反りを生じて開き作動すると、スライドバーが規制金具の開口部の壁面に押されて回転して回転防止部材に当接するため、スライドバーが開口部と回転防止部材に挟まれて回転を阻止され障子の下部の開き作動を抑制する。これによって、障子と枠体との間で内外貫通が抑制される。
【００１０】
また、規制金具は下框または縦框に固定され、スライドバーの基端側に回転防止部材が設けられていてもよい。
サブロックのスライドバーを枠体の係止部にロックさせた状態で、障子の開き作動の際、スライドバーは先端側で規制金具の開口部に当接し、基端側で回転防止部材に当接して挟まれることで、スライドバーを開口部と回転防止部材とで挟んで回転を阻止する。
【００１１】
また、規制金具は、縦框を構成する一部品であってもよい。
規制金具として縦框の側端部を構成するアルミ部材等の開口部を有する一部品を用いることで、別途、規制金具を取り付けることなく障子の反りによる開き作動を抑制でき、部品点数の増大を抑制できる。
【発明の効果】
【００１２】
本発明による開口部装置によれば、防災試験や火災等の際、障子の下部が熱膨張して反って開き作動しても、スライドバーが回転防止部材によって係止させられることで、障子の下部が枠体から開くことを阻止して内外貫通を抑制できる。
【図面の簡単な説明】
【００１３】
【図１】本発明の実施形態による縦辷り出し窓の縦断面図である。
【図２】図１に示す縦辷り出し窓の水平断面図である。
【図３】下框をガラス保持金具側から見た平面図である。
【図４】図３に示す金属下框の側面図である。
【図５】図３において、金属下框の断面を矢印Ａ方向から見た図である。
【図６】サブロックを取り付けた金属下框の端部を示す要部斜視図である。
【図７】サブロックを示す図であり、（ａ）は平面図、（ｂ）は正面図、（ｃ）はスライドバー側からみた側面図である。
【図８】サブロックのスライドバーを枠体の係止部に係止状態に突出させた要部水平断面図である。
【発明を実施するための形態】
【００１４】
以下、本発明の実施形態による縦辷り出し窓について図１乃至図８を参照しながら説明する。
図１は縦辷り出し窓１の縦断面図、図２は同じく水平断面図である。図１及び図２に示すように、本実施形態による縦辷り出し窓１は、建物開口部に取り付けられる枠体２内に納めた障子３を移動させながら吊元側の縦框回りに回転させることで外側に開放可能とされている。
枠体２は上枠７ａ及び下枠７ｂと吊元側の縦枠７ｃ及び戸先側の縦枠７ｄを四角形状に枠組みしており、各枠は複合材で構成されている。即ち、アルミ部材等の金属材からなる金属上枠８、金属下枠９、左右の金属縦枠１０、１１の各室内露出部分を、樹脂材からなる樹脂上枠１３、樹脂下枠１４、樹脂縦枠１５，１６で覆っている。
【００１５】
図１及び図２に示す枠体２内に設置した障子３は、上框１８と下框１９、吊元側の縦框２０と戸先側の縦框２１とからなる框体２２が四角形状に枠組みされ、框体２２の内部には例えば複層ガラスからなるガラス体２４が嵌め込まれている。障子３は上框１８、下框１９に縦框２０、２１を縦通しに組み合わせて構成され、縦框２０，２１の側面に上框１８、下框１９の端面を突き合わせて組み合わせている。
障子３の上框１８は室外側の金属上框２６とその室内側に取り付けられた樹脂上框２７とで構成され、下框１９は室外側の金属下框２８とその室内側に取り付けられた樹脂下框２９とで構成されている。また、吊元側の縦框２０は金属縦框３０とその室内側に取り付けた樹脂縦框３１で構成され、戸先側の縦框２１は金属縦框３２とその室内側に取り付けた樹脂縦框３３で構成されている。金属上框２６、金属下框２８、金属縦框３０、３２は例えばアルミ部材からなっている。
【００１６】
図１及び図２に示す縦辷り出し窓１の障子３は、枠体２の各樹脂上枠１３、樹脂下枠１４、樹脂縦枠１５，１６に当接することで閉鎖状態に支持され、室外側にのみ開放可能とされている。
障子３において、戸先側の金属縦框３２の長手方向の中央部にはメインロックとしてカムラッチ３５が設けられ、戸先側の金属縦枠１１にはカムラッチ３５のラッチ片と係合可能なラッチ受け部が設けられている（図示せず）。図３乃至図６に示すように、下框１９の金属下框２８の一方の端部にサブロック３７が組み込まれている。
【００１７】
サブロック３７は、図７に示すように、合成樹脂製のケース３８内の先端側に筒状のガイド部３９が形成され、ケース３８の一部を構成するガイド部３９内を棒状のスライドバー４０が進退可能に装着されている。そして、ケース３８には受け台４１が連結され、この受け台４１に対して操作部４２が摺動可能に取り付けられている。操作部４２は受け台４１及びケース３８内に延びる連結部材４２ａを一体に形成しており、この連結部材４２ａにスライドバー４０の基端部が連結されている。なお、受け台４１、操作部４２、連結部材４２ａは合成樹脂製である。
スライドバー４０はスチール等の金属製であり、例えば断面コの字状で棒状に延びて形成され、断面コの字の内部に棒材が嵌合されて一体化している。
そのため、操作部４２を図７（ａ）及び（ｂ）に示すように矢印で示す前後方向に動かすことでスライドバー４０を進退させることができる。
【００１８】
図３〜図６に示す縦辷り出し窓１の障子３における下框１９の金属下框２８は、特に図５に示すように断面略四角形枠状部を有しており、その内部には棒状の補強材が配設されている。また、金属下框２８の一の面２８ａに隣接する一方の面２８ｂにはフリクションステー４６がねじで固定され、一の面２８ａを挟んで一方の面２８ｂに対向する他方の面２８ｃには、ガラス体２４をグレージングチャンネルを介して保持するための断面略Ｕ字形状のガラス保持金具４８が所定間隔に配置した複数のねじ４９によって固定されている。
【００１９】
ねじ４９はガラス保持金具４８の孔を貫通して他方の面２８ｃの孔に形成した雌ねじまたはタッピングホールに螺合されて固定されている。断面略Ｕ字状のガラス保持金具４８の両側の起立部はそれぞれ金属下框２８と樹脂下框２９のアーム部２８ｄ、２９ａの内面に面接触して支持されている。
【００２０】
図３乃至図６における金属下框２８の戸先側の端部において、断面略四角形状枠部における一の面２８ａの内部にはサブロック３７のケース３８及びスライドバー４０が装着されている。金属下框２８の一の面２８ａ及び樹脂下框２９の外側には受け台４１及び操作部４２が室内側に露出して配設されている。
また、図２及び図６において、戸先側の金属縦框３２の下端部には規制金具として、例えばスチールからなる平板状の補強板５１がねじ等で固定されており、この補強板５１にはサブロック３７のスライドバー４０が突出する開口部５１ａが形成されている。この開口部５１ａは図６に示すようにスライドバー４０と略同一幅でその長さがスライドバー４０の厚さよりも大きく形成されている。そのため、スライドバー４０は開口部５１ａの長さの範囲内で若干揺動可能とされている。
【００２１】
また、サブロック３７におけるスライドバー４０の自由端部を先端部とし、反対側端部を基端部とし、ガラス保持金具４８に固定された複数のねじ４９のうちスライドバー４０の基端部に近接する位置のねじ４９を規制ねじ４９ａとして、この規制ねじ４９ａはスライドバー４０の揺動、回転を規制する位置に固定されている。規制ねじ４９ａはガラス保持金具４８を金属下框２８に固定するだけでなく、スライドバー４０の回転を規制するものである。
【００２２】
そして、図６及び図８において、金属下框２８の先端部は戸先側縦框２１の金属縦框３２内の下端部内に嵌合されてねじ５３で固定されており、金属縦框３２の下端部側面３２ａにはサブロック３７のスライドバー４０を突出させる開口部３２ｂが形成されている。また、金属縦框３２の下端部側面３２ａには開口部５１を形成した補強板５１がねじで固定されていてスライドバー４０が突出している。しかも、金属縦框３２の開口部３２ｂは補強板５１の開口部５１ａに重なって略同一形状か、より大きい形状であることが好ましい。
一方、戸先側の縦框２１の金属縦框３２に対向する位置には縦枠７ｄの金属縦枠１１が配設されており、金属縦枠１１の内面には、サブロック３７のスライドバー４０が突出位置にある場合にスライドバー４０の開放を阻止してロックする係止部５４が形成されている。
【００２３】
本実施形態による縦辷り出し窓１は上述の構成を備えており、次にその作用を説明する。本実施形態による縦辷り出し窓１において、枠体２に障子３を閉鎖させて戸先側の金属縦框３２に設けたメインロックのカムラッチ３５を回転操作して、そのラッチ片を縦枠７ｄの金属縦枠１１に設けたラッチ受け部に係合させている。しかも、サブロック３７は、図８に示すように、下框１９の金属下框２８の室内側に露出する操作部４２を縦框２１側に進出させた状態で、スライドバー４０は縦枠７ｄの金属縦枠１１に設けた係止部５４にロックされた状態になっている。
【００２４】
カムラッチ３５及びサブロック３７のロック状態で、防火試験を行う場合、或いは火災等が生じた際、室内側に火炎があるとして、障子３の戸先側の縦框２１はカムラッチ３５によって枠体２の縦枠７ｄの金属縦枠１１とロックされており熱変形し難い。一方、障子３の下部ではサブロック３７のケース３８、連結部材４２ａ等の部材が樹脂製であるため溶融してステンレス等の金属製のスライドバー４０を連結できなくなる。
そして、熱によって障子３のアルミ部材等からなる縦框２０、２１の金属縦框３０、３２や下框１９の金属下框２８が熱膨張して障子３の下部が室外側に反ると、金属縦枠１１の係止部５４に係止されたスライドバー４０は金属縦框３２の補強板５１の開口部５１ａで押されて回転する。
【００２５】
障子３の下部の開き作動に連動してスライドバー４０が係止部５４を支点として回転すると、スライドバー４０の基端側部分が金属下框２８に設けた規制ビス４９ａに当接して回転を規制され、スライドバー４０は規制ビス４９ａと補強板５１の開口部５１ａの壁面とで挟まれて停止する。そのため、障子３の下部は開き作動を阻止され、障子３の下部と枠体２との間の開きを抑えて内外貫通を防止できる。
【００２６】
上述のように本実施形態による縦辷り出し窓１によれば、防火試験や火災等において、障子３の下部の金属下框２８と金属縦框３０、３２が熱変形して反りを生じて障子３の下部が開き作動した場合、サブロック３７の樹脂部材が溶解したとしても、金属縦框３２の下端部側面３２ａに設けた補強板５１の開口部５１ａで押されて回転するスライドバー４０が規制ねじ４９ａに当接して回転を阻止できるため、障子３の下部の開き作動を阻止して枠体２との間の内外貫通を防止できる。
【００２７】
なお、本発明は、上述した実施形態による縦辷り出し窓１に限定されるものではなく、本発明の要旨を逸脱しない範囲で適宜の変更や置換等が可能である。
例えば、上述した実施形態では、防火試験に際し、サブロック３７のスライドバー４０の回転を規制するためにスライドバー４０の長手方向の先端側に開口部５１ａを設けた補強板５１を金属縦框３２の下端部側面３２ａに取り付け、基端部に規制ねじ４９ａを設けたが、補強板５１を設けずに規制ねじ４９ａだけを設けてもよい。
【００２８】
この構成によっても、障子３の下部が湾曲して開き作動する際、スライドバー４０は金属縦框３２の下端部側面３２ａの開口部３２ｂを構成するアルミ部材製の一部品で押されて回転し、規制ねじ４９ａによってスライドバー４０の回転を抑制し、枠体２に対して障子３の下部が開くことを防止できる。この場合、金属縦框３２の下端部側面３２ａはアルミ部材であるため、スチール等からなる補強板５１と比較して熱変形し易いが、スライドバー４０を押すことは可能である。これら補強板５１と金属縦框３２の下端部側面３２ａは規制金具に含まれる。
【００２９】
なお、補強板５１は金属縦框３２の下端部側面３２ａに代えて、金属下框２８の戸先側の先端部に設けてもよい。
また、サブロック３７におけるスライドバー４０の回転防止部材として規制ねじ４９ａ等の固定具を設けたが、規制ねじ４９ａに代えて金属下框２８の断面略四角形状枠部のいずれかの面や他の部材から内部に突出する凸部をストッパーとして設けてスライドバー４０の回転を規制してもよい。このストッパーも回転防止部材に含まれる。
また、障子３の各框の内面にガラス保持金具４８でガラス体２４を保持するようにしたが、ガラス体２４に代えて、透明パネルや不透明パネル等を設けてもよく、これらを総称してパネルという。
【００３０】
また、上述した実施形態では、サブロック３７のケース３８とスライドバー４０を金属下框２８及び金属縦框３２の両方に設けて受け台４１と操作部４２を室内側に露出して設けたが、ケース３８とスライドバー４０は金属縦框３２内にのみ設けてもよい。或いは、金属下框２８内にのみ設けてもよい。
【００３１】
なお、上述した実施形態では、金属と樹脂の複合サッシからなる窓について説明したが、本発明は複合サッシに限定されることなく、樹脂枠や樹脂框を設けない金属製のサッシからなる窓についても適用できることはいうまでもない。
また、本発明は、縦辷り出し窓１に限定されるものではなく、横辷り出し窓、開き窓、中間回転式窓等の各種の窓だけでなくドア等を含む開口部装置に適用できる。
【符号の説明】
【００３２】
１  縦辷り出し窓
２  枠体
３  障子  
１９  下框
２４  ガラス体
２８  金属下框
３２  戸先側の縦框
３２ａ  下端部側面
３２ｂ，５１ａ  開口部
３５  カムラッチ
３７  サブロック
３８  ケース
４０  スライドバー
４１  受け台
４２  操作部
４８  ガラス保持金具
４９  ねじ
４９ａ  規制ねじ
５１  補強板
５４、５７  係止部
【図１】
2014163077.tif 000003
【図２】
2014163077.tif 000004
【図３】
2014163077.tif 000005
【図４】
2014163077.tif 000006
【図５】
2014163077.tif 000007
【図６】
2014163077.tif 000008
【図７】
2014163077.tif 000009
【図８】
2014163077.tif 000010